(57)【特許請求の範囲】
【請求項１】
第１の言語の文字を入力する文字入力装置を制御するプログラムが記録されている記録媒体において、
入力された文字列を、第１の言語としてのスペリングが正しいか否かを判断する判断ステップと、
前記判断ステップで、入力された前記文字列が前記第１の言語としてのスペリングが誤っていると判断された場合に、入力された文字列を、第２の言語の文字列に変換する変換ステップと、
前記変換ステップにより変換された第２の言語の文字列が持つ意味に対応する前記第１の言語の文字列を検索する検索ステップと
を備えるプログラムが記録されていることを特徴とする記憶媒体。
【請求項２】
第１の言語の文字を入力する文字入力装置において、
入力された文字列を、第１の言語としてのスペリングが正しいか否かを判断する判断手段と、
前記判断手段により、入力された前記文字列が前記第１の言語としてのスペリングが誤っていると判断された場合に、入力された文字列を第２の言語の文字列に変換する変換手段と、
前記変換手段により変換された第２の言語の文字列が持つ意味に対応する前記第１の言語の文字列を検索する検索手段と
を備えることを特徴とする文字入力装置。
【発明の詳細な説明】
【０００１】
【発明の属する技術分野】
本発明は記録媒体および文字入力装置に関し、特に、英語入力モードのままで日本語を入力しても、正しく英語への変換を行うようにすることにより、入力モードを切り替えることなく、所望の英語が入力されるようにした記録媒体および文字入力装置に関する。
【０００２】
【従来の技術】
英語入力装置（英語ワードプロセッサ）の中には、ユーザが、わからない英語を入力したい場合、日本語を入力すると、その日本語の意味に対応する英語がリストアップされ、そのリストアップされた英語の中から、所望の英語を選択できるという機能を有しているものがある。
【０００３】
図２０のフローチャートを参照して、従来の英語入力装置において、ユーザが、わからない英語を入力したい場合に行う動作について説明する。まず、ユーザが、わからない英語があり、日本語で入力し、その日本語の意味に対応する英語を表示させたいと思ったとき、ステップＳ５１において、英語入力モードから日本語入力モードに切り替える。そしてステップＳ５２において、ユーザは、日本語を入力する。英語入力装置は、入力された日本語に対応する英語を検索し、ディスプレイ上に検索した結果を表示する。ユーザは、ステップＳ５３において、その表示された英語のリスト内から、所望の英語を選択する。そしてその選択結果で良ければ、ステップＳ５４に進み、ユーザは、日本語入力モードから英語入力モードに切り替える。
【０００４】
以上のようにすることにより、わからない英語がある場合でも、日本語の入力によって、所望の英語を得て、入力することができる。
【０００５】
【発明が解決しようとする課題】
しかしながら、上述した英語入力装置では、ユーザが、異なる言語（日本語）を入力する場合、入力モードの切替を行なわなくてはならない。その結果、ユーザの思考が中断し、迅速な入力が困難になる課題があった。
【０００６】
本発明はこのような状況に鑑みてなされたものであり、ユーザが、英語入力モードのままで、他の言語の読みを入力しても、正しく他の言語と認識し、対応する英語を表示することにより、入力モードの切替を必要としないようにするものである。
【０００７】
【課題を解決するための手段】
本発明の記録媒体は、第１の言語の文字を入力する文字入力装置を制御するプログラムが記録されている記録媒体であって、入力された文字列を、第１の言語としてのスペリングが正しいか否かを判断する判断ステップと、判断ステップで、入力された文字列が第１の言語としてのスペリングが誤っていると判断された場合に、入力された文字列を、第２の言語の文字列に変換する変換ステップと、変換ステップにより変換された第２の言語の文字列が持つ意味に対応する第１の言語の文字列を検索する検索ステップとを備えるプログラムが記録されていることを特徴とする。
【０００８】
本発明の文字入力装置は、入力された文字列を、第１の言語としてのスペリングが正しいか否かを判断する判断手段と、判断手段により、入力された文字列が第１の言語としてのスペリングが誤っていると判断された場合に、入力された文字列を第２の言語の文字列に変換する変換手段と、変換手段により変換された第２の言語の文字列が持つ意味に対応する第１の言語の文字列を検索する検索手段とを備えることを特徴とする。
【０００９】
本発明においては、入力された文字列に対して、第１の言語としてのスペリングが正しいか否かが判断され、入力された文字列が第１の言語としてのスペリングが誤っていると判断された場合に、入力された文字列が第２の言語の文字列に変換され、その変換された第２の言語の文字列が持つ意味に対応する第１の言語の文字列が検索される。
【００１０】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１１】
本発明の文字入力装置は、入力された文字列を、第１の言語としてのスペリングが正しいか否かを判断する判断手段（例えば、図２のステップＳ１１）と、判断手段により、入力された文字列が第１の言語としてのスペリングが誤っていると判断された場合に、入力された文字列を、第２の言語の文字列に変換する変換手段（例えば、図３のステップＳ１４）と、変換手段により変換された第２の言語の文字列が持つ意味に対応する第１の言語の文字列を検索する検索手段（例えば、図３のステップＳ１６）とを備えることを特徴とする。
【００１２】
図１は、本発明を適用した英語入力装置（英語ワードプロセッサ）の構成例を示している。入出力処理部２０は、マウス１またはキーボード５からの入力情報の処理と、ディスプレイ１０への出力情報の処理を行っている。入力バッファ２２は、入出力処理部２０に入力された情報を格納する。変換バッファ２５には、入力バッファ２２に記憶された文字列の中から、処理が行なわれる文字列がコピーされる。
【００１３】
スペルチェック処理部２９は、変換バッファ２５に格納されている文字列を読み出し、スペルチェック用辞書３０を検索し、読み出した文字列が、英語のスペリング（単語）として存在する場合は、その文字列をスペル修正候補バッファ２７に格納させる。また、読み出した文字列が、英語のスペリングとして存在しない場合は、読み出した文字列に類似するスペリングを持つ単語が検索され、スペル修正候補バッファ２７に格納される。
【００１４】
ローマ字かな変換処理部３１は、変換バッファ２５に格納されている文字列を読み出し、読み出した文字列のローマ字読みに対応するかなをローマ字かな変換テーブル３２から読み出し、かなバッファ２８に格納させる。
【００１５】
日英変換処理部３３は、かなバッファ２８に格納された文字列が全てかなのとき（アルファベットが含まれていないとき）、そのかな文字列がもつ意味に対応する英語を、日英変換辞書３４から読み出し、日英変換候補バッファ２６に格納させる。
【００１６】
日本語優先フラグ２３は、ユーザが、所定のキーを操作して、日本語優先モードを設定したときにオンされるフラグであり、このフラグがオンの場合、スペル修正候補バッファ２７と、日英変換候補バッファ２６の両方のバッファ内に、文字列が存在するとき、日英変換候補バッファ２６内に存在する文字列が優先的に読み出される。
【００１７】
日本語強制フラグ２４は、ユーザが、日本語として入力した文字列を英語に変換させる処理を行うことを指示するキーが入力されたときにオンになるフラグである。
【００１８】
本処理部２１は、上述した各処理を制御する。
【００１９】
次に、図１の英語入力装置の動作について、図２乃至図４のフローチャートを参照し、例をあげて説明する。
【００２０】
最初にステップＳ１において、本処理部２１は、日英変換候補バッファ２６、スペル修正候補バッファ２７、およびかなバッファ２８を、文字列を記憶していない状態に初期化し、日本語強制フラグ２４を、図４に示すようにオフにする。図５の例では、日本語優先モードを設定するキー（キーボード５の中のキー）が操作されているものとして、日本語優先フラグ２３はオンになっているが、このモードが設定されていなければ、日本語優先フラグ２３はオフになっている。
【００２１】
そして、ステップＳ２では、本処理部２１は、ユーザが、キーボード５から文字を入力するのを待機する。ここで、入力される文字が、ケース１として、”ＷＡＫＥ”である場合を例に挙げて説明する。ユーザは”ＷＡＫＥ”を入力する際、まず”Ｗ”を入力する。入力された”Ｗ”に対し、ステップＳ３の処理が行われる。ステップＳ３では、入力された文字が、区切り文字であるか否かが判断される。図６は、区切り文字の例を示している。区切り文字として登録されているのは、この例では、スペース、リターン、およびタブである。
【００２２】
入力された文字”Ｗ”は、区切り文字ではないので、ステップＳ４に進む。ステップＳ４では、入力されたのは、日本語強制キーからの入力であるか否かが判断される。日本語強制キーは、キーボード５上にあるキーの１つが割り当てられており、そのキーが操作されると、対応した処理として日本語強制フラグ２４がオンされる（後述するステップＳ５）。また日本語強制キーは、ユーザにより、１単語分の日本語の文字列を入力し終わった後に操作される。
【００２３】
いま入力は、日本語強制キーからの入力ではないので、ステップＳ６に進み、日本語優先切替キーからの入力であるか否かが判断される。日本語優先切替キーも、キーボード５上にあるキーの１つが割り当てられており、そのキーが操作されると、日本語優先フラグ２３がオンまたはオフされるようになされている（後述するステップＳ７）。この日本語優先切替キーは、入力した文字列が、日本語として意味を持ち、その意味に対応した英語が日英変換候補バッファ２６に格納されており、さらにその文字列に類似した意味を持つ英語のスペリングまたは、その文字列自身が、スペル修正候補バッファ２７に格納されている場合に、日英変換候補バッファ２６からの読み出しを優先させるか否かを選択するときに操作されるキーである。よって、例えば、頻繁に日本語の入力を行うユーザは、このキーを予め操作して日本語優先フラグをオンにしておけば、日本語に対応した英語が優先的にディスプレイ１０上に表示されるので、迅速な、英文入力が可能となる。
【００２４】
いま入力は、日本語優先切替キーからの入力ではないので、ステップＳ８に進み、入力された”Ｗ”は、入力バッファ２２に格納される。入力された文字が格納されると、ステップＳ２に戻り入力待ちの状態になる。
【００２５】
同様の処理が、”Ａ”，”Ｋ”，”Ｅ”の文字が入力された場合にも繰り返され、その結果、図７に示すように”ＷＡＫＥ”の文字列が入力バッファ２２に格納される。その後ユーザが、ステップＳ３において、区切り文字を入力したと判断されると、ステップＳ９に進む。ステップＳ９では、入力バッファ９に格納されている文字列が、図８に示すように変換バッファ９にコピーされる。このとき、いま入力された区切り文字の１つ前の区切り文字から、いま入力された区切り文字の直前までの文字列（１単語分）がコピーされる。
【００２６】
ステップＳ１０において、スペルチェック処理部２９が、変換バッファ２５にコピーされた文字列を読み出し、読み出された文字列が、英語のスペリングとして正しいか否かを、換言すれば、スペルチェック用辞書３０に登録されているか否かをチェックする。そして、ステップＳ１１において、チェックの結果、変換バッファ２５にコピーされた文字列が英語のスペリングとして正しいと判断された場合、ステップＳ１２に進み、正しくないと判断された場合は、ステップＳ１３（図３）に進む。”ＷＡＫＥ”は、英語のスペリングとして正しいので、ステップＳ１２に進む。ステップＳ１２では、日本語強制フラグ２４がオンされているか否かが判断される。いまの場合、日本語強制フラグはオフなので、ステップＳ１に戻る。
【００２７】
一方ユーザが、”ＷＡＫＥ”と入力した後に、日本語強制キーを操作した場合、ステップＳ４において、入力は日本語強制キーからの入力であると判断され、ステップＳ５に進む。ステップＳ５では、本処理部２１は、日本語強制フラグ２４をオンにする。そして、ステップＳ９に進む。ステップＳ９乃至Ｓ１１までの各処理は、上述した処理と同様の処理なので、その説明は省略する。
【００２８】
ステップＳ１２において、日本語強制フラグ２４がオンされているか否かが判断される。いま、日本語強制フラグはオンされているので、ステップＳ１３（図３）に進む。ステップＳ１３では、本処理部２１は、スペル修正候補をスペル候補バッファ２７に格納させる。”ＷＡＫＥ”は、英語として正しいスペリングであるが、ここでは正しいスペリングの単語も、スペル修正候補とされ、”ＷＡＫＥ”がそのまま、図９に示すように、スペル修正候補バッファ２７に格納される。
【００２９】
ステップＳ１４では、ローマ字かな変換処理部３１は、変換バッファ２５にコピーされた文字列をローマ字として扱い、ローマ字とかなの対応関係が登録されているローマ字かな変換テーブル３２を参照し、かなに変換する。かなに変換された文字列は、かなバッファ２８に格納される。つまり”ＷＡＫＥ”は、かなに直すと”わけ”になるので、図１０に示すようにかなバッファ２８には、”わけ”が格納される。
【００３０】
次にステップＳ１５において、かなバッファ２８に格納された文字列が、全てかなであるか否かが判断される。いま、かなバッファ２８に格納されている”わけ”は、全てかなであるので、ステップＳ１６に進む。ステップＳ１６では、日英変換処理部３３が、かなに変換された文字列の持つ日本語の意味に対応する英語を、日英変換辞書３４から検索する。そしてステップＳ１７において、検索の結果、対応する英語が存在するか否かが判断され、存在する場合はステップＳ１８に進み、存在しない場合には、ステップＳ１９（図４）に進む。いま、かなに変換された”わけ”に対応する英語は、図１１に示すように存在し、この英語は、ステップＳ１８において、日英変換候補バッファ２６に格納される。
【００３１】
格納後、ステップＳ１９に進み、日本語強制フラグ２４がオンされているか否かが判断される。いま日本語強制フラグ２４はオンされているので、ステップＳ２１に進む。ステップＳ２１では、日英変換候補バッファ２６に文字列が存在するか否かが判断される。いま日英変換候補バッファ２６には、図１１に示すような英語が格納されているので、ステップＳ２２に進み、格納されている文字列がディスプレイ１０上に表示される。
【００３２】
表示後、ステップＳ２４に進み、本処理部２１は、ユーザが、ステップＳ２５乃至Ｓ２７に示すいずれかの処理選択のキーを入力するのを待機する。まずステップＳ２５において、日英変換候補表示キーからの入力であるか否かが判断される。日英変換表示キーからの入力である場合、ステップＳ２１に戻り、同様の処理が行われる（日英変換候補バッファ２６に記憶されている、次の単語が表示される）。一方ステップＳ２５において、日英変換候補表示キーからの入力ではないと判定された場合、ステップＳ２６に進む。ステップＳ２６では、スペル修正候補表示キーからの入力であるか否かが判断される。スペル修正候補表示キーからの入力の場合、ステップＳ２３に進む。ステップＳ２３では、スペル修正候補バッファ２７に格納されている文字列がディスプレイ１０上に表示される。いま、図９に示すようにスペル修正候補バッファ２７には”ＷＡＫＥ”が格納されているので、ディスプレイ１０上にも、”ＷＡＫＥ”と表示される。そして再びステップＳ２４に戻り、処理選択の入力待ちになる。
【００３３】
一方、ステップＳ２６において、スペル修正候補表示キーからの入力ではないと判定された場合、ステップＳ２７に進み、表示されている文字列の候補から、ユーザが所望の文字列の番号やリターンキーなどの候補選択キーを入力したか否かが判断される。文字列が選択されなければ、ステップＳ２４に戻り、同様の処理が繰り返される。そしてユーザが、所望の文字列を選択した場合、ステップＳ２８に進む。ステップＳ２８では、選択された文字列が、入力バッファ２２に格納されている文字列（変換バッファ２５にコピーされた文字列）と置き換えられる。そして再びステップＳ１に戻り、同様の処理が繰り返される。
【００３４】
なお、日英変換候補表示キーと、スペル修正候補表示キーは、それぞれキーボード５上のキーが１つづつ割り当てられている。
【００３５】
次に、ケース２として”ＳＩＹＯＵ”を入力した場合を例に挙げて説明する。但し、各ステップにおいて、上述した説明と同様の場合には、その説明は適宣省略する。
【００３６】
まず、ステップＳ１乃至Ｓ８までの各処理によって、図１２に示すように”ＳＩＹＯＵ”の各文字が入力バッファ２２に格納される。また、ステップＳ４において、日本語強制キーからの入力は無いと判定されているものとする。
【００３７】
ステップＳ３において、区切り文字が入力され他と判定されると、ステップＳ９において、”ＳＩＹＯＵ”が、図１３に示すように入力バッファ２２から変換バッファ２５にコピーされる。そしてステップＳ１０において、変換バッファ２５にコピーされた”ＳＩＹＯＵ”のスペルチェックが行われる。ステップＳ１１において、”ＳＩＹＯＵ”のスペリングが正しいか否かが判断される。その結果”ＳＩＹＯＵ”は英語のスペリングに存在しないので、ステップＳ１３に進む。ステップＳ１３では、この文字列に類似しているスペリングの英語、例えば図１４に示すような”ｓｉｌｏｓ”，”Ｓｉｍｏｎ”といった英語が、スペル修正候補として、スペル候補バッファ２７に格納される。
【００３８】
次に、ステップＳ１４において、ローマ字かな変換処理部３１が、”ＳＩＹＯＵ”を”しよう”に変換し、図１５に示すように、かなバッファ２８に格納する。そして、ステップＳ１５において、”しよう”は全てかなと判定され、ステップＳ１６に進む。ステップＳ１６では、かなに変換された文字列”しよう”に対応する英語が日英変換処理部３３で検索される。ステップＳ１７では、検索された結果、図１６に示すような英語が存在しているので、ステップＳ１８に進む。そして、ステップＳ１８において、図１６に示すような英語が、日英変換候補バッファ２６に格納される。
【００３９】
格納後、ステップＳ１９に進み、日本語強制フラグ２４がオンとされているか否かが判断される。いま、日本語強制フラグ２４はオフなので、ステップＳ２０に進む。そして、ステップＳ２０において、日本語優先フラグがオンとされているか否かが判断される。それがオンされている場合、ステップＳ２１、そしてステップＳ２２に進み、日英変換候補バッファ２６に格納されている、図１６に示すような英語がディスプレイ１０上に表示される。
【００４０】
一方ステップＳ２０において日本語優先フラグ２３がオフされていると判定された場合、ステップＳ２３に進み、スペル修正候補バッファ２７に格納されている図１４に示すような英語が、ディスプレイ１０上に表示される。
【００４１】
ディスプレイ１０上に、日英変換候補バッファ２６またはスペル修正候補バッファ２７に格納されている文字列が表示された後はステップＳ２４に進む。その後の各ステップの処理は、ケース１のときと同様の処理なので、その説明は省略する。
【００４２】
一方、ステップＳ４において、日本語強制キーからの入力があったと判定された場合、ステップＳ５に進むことと、ステップＳ１９から、必ずステップＳ２１に進むこと以外のステップの移動、および各処理は同様の処理なので、その説明は省略する。
【００４３】
次に、ケース３として”ＯＭＲＯＮ”が入力された場合を例に挙げて説明する。ステップＳ１乃至Ｓ８の各処理により、図１７に示すように、”ＯＭＲＯＮ”の文字列が、入力バッファ２２に格納されたものとする。
【００４４】
ステップＳ３において、区切り文字が入力されたと判定されると、ステップＳ９に進み、変換バッファ２５に、図１７に示すように、”ＯＭＲＯＮ”の文字列がコピーされる。このコピーされた文字列は、ステップＳ１０においてスペルチェックされ、ステップＳ１１に進み、”ＯＭＲＯＮ”というスペリングは正しくないと判断され、ステップＳ１３に進む。そして、ステップＳ１３において、スペル修正候補として、例えば、図１９に示すような英語が、スペル修正候補バッファ２７に格納される。
【００４５】
ステップＳ１４では、”ＯＭＲＯＮ”は、図２０に示すように、”おＭろん”と変換され、かなバッファ２８に格納される。そしてステップＳ１５において、かな変換された文字列が全てかなか否かが判断される。いま、”おＭろん”は、”Ｍ”というアルファベットを含んでいるので、全てかなではない。よって、ステップＳ１９に進む。
【００４６】
いま、日本語強制フラグはオフなので、ステップＳ２０に進む。ステップＳ２０において、日本語優先フラグ２４がオンになされていると、ステップＳ２１に進む。ステップＳ２１において、日英変換候補バッファ２６内に、文字列が格納されているか否かが判断される。いま、日英変換候補バッファ２６に、文字列は格納されていないので、ステップＳ２３に進む。
【００４７】
一方、ステップＳ２０において、日本語優先フラグがオフになっていると判定された場合は、ステップＳ２１を介さずにステップＳ２３に進む。ステップＳ２３では、スペル修正候補バッファ２７に格納されている図１９に示すような英語が、ディスプレイ１０上に表示される。そしてステップＳ２４に進む。ステップＳ２４以下の処理は、ケース１の場合の処理と同様の処理なので、その説明は省略する。
【００４８】
一方、ステップＳ４において、日本語強制キーからの入力があったと判定された場合は、ステップＳ５に進むことと、ステップＳ１９から、必ずステップＳ２１に進むこと以外のステップの移動、および各処理は同様の処理なので、その説明は省略する。
【００４９】
以上のように、入力言語のモードを切り替えなくても、日本語を入力すると、対応する英語のスペリングが存在しなければ、その日本語の意味に対応する英語が自動的に検索表示される。入力後、日本語強制キーがオンされた場合も同様である。
【００５０】
なお、上記実施の形態においては、英語と日本語を用いたが、その他の言語の組み合わせにおいても、本発明は適用することが可能である。
【００５１】
上記各処理を行うプログラムは、フロッピディスク、ＣＤ−ＲＯＭなどの記録媒体に記録紙、ユーザに提供する他、インターネット、デジタル衛星などのネットワークを介してユーザに伝送し、これをハードディスク、メモリなどに記憶させるようにしても良い。
【００５２】
【発明の効果】
以上の如く本発明によれば、入力された文字列に対して、第１の言語としてのスペリングが正しいか否かを判断し、入力された文字列が第１の言語としてのスペリングが誤っていると判断された場合に、入力された文字列を第２の言語の文字列に変換し、その変換された第２の言語の文字列が持つ意味に対応する第１の言語の文字列を検索するようにしたので、入力モードを切り替えずに、第２の言語の文字列を入力し、それに対応する第１の言語の文字列を表示させることが可能となる。
【図面の簡単な説明】
【図１】本発明を適用した英語入力装置の一実施の形態の構成を示すブロック図である。
【図２】図１の本処理部が行う処理を説明するフローチャートである。
【図３】図２に続くフローチャートである。
【図４】図３に続くフローチャートである。
【図５】日本語優先フラグと日本語強制フラグの内容を示す図である。
【図６】区切り文字の例を示す図である。
【図７】図１の入力バッファの内容の例を示す図である。
【図８】図１の変換バッファの内容の例を示す図である。
【図９】図１のスペル修正候補バッファの内容の例を示す図である。
【図１０】図１のかなバッファの内容の例を示す図である。
【図１１】図１の日英変換候補バッファの内容の一例を示す図である。
【図１２】図１の入力バッファの内容の例を示す図である。
【図１３】図１の変換バッファの内容の例を示す図である。
【図１４】図１のスペル修正候補バッファの内容の例を示す図である。
【図１５】図１のかなバッファの内容の例を示す図である。
【図１６】図１の日英変換候補バッファの内容の例を示す図である。
【図１７】図１の入力バッファの内容の例を示す図である。
【図１８】図１の変換バッファの内容の例を示す図である。
【図１９】図１のスペル修正候補バッファの内容の例を示す図である。
【図２０】図１のかなバッファの内容の例を示す図である。
【図２１】従来の英語入力装置におけるユーザが行う動作を説明するためのフローチャートである。
【符号の説明】
１  マウス
５  キーボード
１０  ディスプレイ
２０  入出力処理部
２１  本処理部
２２  入力バッファ
２３  日本語優先フラグ
２４  日本語強制フラグ
２５  変換バッファ
２６  日英変換候補バッファ
２７  スペル修正候補バッファ
２８  かなバッファ
２９  スペルチェック処理部
３０  スペルチェック用辞書
３１  ローマ字かな変換処理部
３２  ローマ字かな変換テーブル
３３  日英変換処理部
３４  日英変換辞書
【図１】
0003548747.tif 000002
【図２】
0003548747.tif 000003
【図３】
0003548747.tif 000004
【図４】
0003548747.tif 000005
【図５】
0003548747.tif 000006
【図６】
0003548747.tif 000007
【図７】
0003548747.tif 000008
【図８】
0003548747.tif 000009
【図９】
0003548747.tif 000010
【図１０】
0003548747.tif 000011
【図１１】
0003548747.tif 000012
【図１２】
0003548747.tif 000013
【図１３】
0003548747.tif 000014
【図１４】
0003548747.tif 000015
【図１５】
0003548747.tif 000016
【図１６】
0003548747.tif 000017
【図１７】
0003548747.tif 000018
【図１８】
0003548747.tif 000019
【図１９】
0003548747.tif 000020
【図２０】
0003548747.tif 000021
【図２１】
0003548747.tif 000022